(57)【要約】  購入時に、容器基部（１２４）において製品の色合いを視認できるようにカバー（１２８）と基部（１２４）が包装される化粧品包装体を提供する。
2008519666.tif 000002
【特許請求の範囲】
【請求項１】
化粧製品を中に有する容器基部と、前記容器基部から取り外された又は前記容器基部と係合されたカバーとを備えた化粧品包装体であって、前記カバーは化粧製品が少なくとも部分的に露出される第１の位置に配置され、前記容器基部と前記第１の位置にある前記カバーとの結合投影面積は、前記容器基部と前記カバーとの累計面積よりも小さいことを特徴とする化粧品包装体。
【請求項２】
前記容器基部は前記カバー内に置かれ、前記容器基部と前記カバーとの前記結合投影面積は、前記容器基部と前記カバーとの前記累計面積の約５０パーセント未満であることを特徴とする請求項１に記載の化粧品包装体。
【請求項３】
前記基部と前記カバーのうちの一方は、開口部と、前記基部又は前記カバーそれぞれに概ね平行な回転軸とを有するヒンジ式受け部を備え、前記基部と前記カバーのうちの他方は、前記ヒンジ受け部との係合のために前記ヒンジ受け部の開口部に嵌るように形作られた突出部を備え、その結果、そのようにして前記ヒンジ式受け部と前記突出部とを介して前記基部と係合した前記カバーが、前記ヒンジ受け部の周りを回転して開閉することができることを特徴とする請求項１に記載の化粧品包装体。
【請求項４】
前記カバーは、前記突出部上のロック用出っ張り部が前記ヒンジ受け部内のロック用棚状部と係合することによって、前記容器基部と係合することを特徴とする請求項３に記載の化粧品包装体。
【請求項５】
前記化粧品包装体は外側包装材内にあることを特徴とする請求項１に記載の化粧品包装体。
【請求項６】
ブリスター包装材、カートン、熱成形クラムシェル、収縮スリーブ、プラスチックスリーブ及びバッグ、並びに射出成型容器からなる群から選択されることを特徴とする請求項５に記載の外側包装材。
【請求項７】
前記カバーは、前記第１の位置から前記第２の位置へと前記ヒンジ受け部内で回転され、回転は、前記ヒンジ受け部のロック用切り欠き部と係合する前記突出部のロック用突起部によって最終的には制止されることを特徴とする請求項１に記載の化粧品包装体。
【請求項８】
前記カバーは圧縮可能なシールを備えることを特徴とする請求項１に記載の化粧品包装品。
【請求項９】
前記容器基部は前記カバー内に置かれ、前記容器基部と前記カバーとの前記結合投影面積は、前記容器基部と前記カバーとの累計面積の５０％であることを特徴とする請求項１に記載の化粧品包装体。
【発明の詳細な説明】
【技術分野】
【０００１】
本発明は、ケースに包装された有色化粧品の色合いの確認を容易にする、特に支柱固定式／回転式のヒンジを有する化粧品ケースに関する。
【背景技術】
【０００２】
数世紀にわたり、消費者は、「完璧な」外見を達成することを望んで、ケースに入れられた粉末化粧品を購入してきた。一般に、特定の色合いの粉末が、化粧品ケース内にて、消費者の所望の肌の色に適合しているか判明する。
【発明の開示】
【発明が解決しようとする課題】
【０００３】
しかしながら、コンパクト内の内容物を見ることができない場合には、製品の色合いと適合させることが幾分困難となり得る。不透明な包装がしばしば望まれるために、包装されている特定の製品の色合いを棚上で明瞭に見ることが不可能になるという矛盾が生じる。しばしば、べた色のコンパクトが特に粉末化粧品の場合に使用されるが、これは、べた色はより高品質とみなされ、又、内部に鏡を配置することは不可欠の利便性とみなされているからである。これまでに、包装体又は標示カードに色見本を標示することによって「色合いを示す」という試みは存在した。これは、消費者が自身の所望の色を選択する上では役立つものであったが、消費者が色見本のみに基づいて特定の製品を購入した時に間違いが生じる可能性があった。時折、その見本の色は、消費者が包装内の内容物に予想したものと一致しないこともあった。透明な蓋を用いることもできるが、これは、鏡が存在するために、不透明なコンパクトほどには、審美的に好ましくない。「色合いを示す」ための別の代替案は、開位置でコンパクトを提示することであるが、これは空間を無駄にしたり、消費者に包装体を開けさせたりすることになる。そのような選択肢は望ましくなく、又販売を妨げることがある。
【０００４】
本発明は、高品質な外観を維持しながらも、包装体から製品を取り出す必要なく実際の製品を視認することによって、消費者が所望の製品の色合いを迅速に選択するのを援助する、独自設計の化粧品ケースを提供する。
【０００５】
本発明はさらに、消費者が所望の製品の色合いを視認し選択することができる特定の構造でケースのカバーと基部を包装することを可能にする、独自設計のヒンジを有する化粧ケースを提供する。
【０００６】
本発明は又、消費者が選択することができる一連の化粧品の色合いから、ある化粧品の色合いを独力で選択する際の援助の手段として、本発明の化粧品ケース及び本発明の組み立て体を利用する、ビジネスの実施方法を提供する。
【課題を解決するための手段】
【０００７】
本発明によれば、基部において製品の色合いを視認することができるように、カバーと容器基部が包装される化粧品ケースが提供される。購入時以降に、消費者は、カバーを基部の上で裏返し、受け部にロック用突出部をスナップ式で結合するか、又は容器基部の上方でカバーをある角度を成す位置から対等の位置へと回転させることによって、カバーと基部とを結合する。カバーは次いで、ロック用出っ張り部によって基部にロックされ、そのロック用出っ張り部は、ヒンジ受け部におけるより直径の小さい空孔を収縮して通り抜け、ヒンジ受け部の内壁上にある内部のロック用棚状部に達する。消費者は次いで、コンパクトを従来通りに操作し、前側の押しボタンを介してヒンジの周りでコンパクトを開閉する。このときにはコンパクトは操作性のためにヒンジ周りに固定されているため、もはやカバーと基部とを組み合わせたり、カバーを回転させて基部と整列させたりする必要はない。
【０００８】
本発明の一実施形態は、スナップ組み立て式化粧品ケースを提供し、そのスナップ組み立て式化粧品ケースにおいて、カバーは、容器基部から取り外されて、ブリスター包装のような包装の中で容器基部の内容物を消費者が視認できるように包装される。カバーは、例えば、容器基部を内に置くような構造で容器基部の下側に包装することができる。そのような構造によって、容器基部の上のカバーの障害なく容器基部の内容物を視認することが可能となるため、この構造は消費者にとって有利である。基部又はカバーの一方は、先端下部に平坦面を用いることによって形成された出っ張り部を有する突出部を含んでいる。消費者は、容器基部又はカバーそれぞれのうちの一方のヒンジ受け部に突出部をスナップ式で結合してケースを組み立てるように指示される。突出部は、容器基部とカバーを係合させるロック用棚状部によってロックし、カバーと基部は分離することができなくなる。その結果、化粧品ケースは、しかるべき開閉の操作が可能となる。
【０００９】
本発明の他の実施形態は回転組み立て式化粧品ケースを提供し、その回転組み立て式化粧品ケースにおいて、カバーと基部は、容器基部がカバーの内面に位置するように、上記のスナップ組み立て式ケースと同様に包装される。しかしながら、このカバーと容器基部は、包装の間に回転式ヒンジによって既に係合されている。購入時以降に、消費者は、容器基部の下からカバーを回転させて、カバーと容器基部が同じ軸線に沿って位置するようにする。ロック用の突起部がヒンジ受け部の切り欠き部と係合して、カバーと基部の回転を阻止する。その結果化粧品ケースは、ヒンジの周りに関節構造を呈して、開閉するようになる。
【００１０】
本発明の他の実施形態は旋回組み立て式化粧品ケースを提供し、その旋回組み立て式化粧品ケースにおいて、カバーと基部は包装の間に回転式ヒンジによって既に係合しており、回転されて引き離されるが、カバーと容器基部は、製品の色合いを示すために互いに対してある角度を成している。先と区別される実施形態は、カバーと容器基部の内部領域が互いに面する第１の位置を含む。購入時以降に、消費者は、カバーと容器基部を、いずれかの部分を回転させることによって結合して、カバーと容器基部の内側表面が、少なくとも互いの上でほぼぴったりな位置となるようにする。組み立ての後、並びにカバー及び／又は基部を完全に回転させた後、ロック用突起部がヒンジ受け部の切り欠き部と係合し、ヒンジ結合した構成でコンパクトをロックする。その結果、コンパクトは、しかるべくヒンジの周りを回転するよう機能する。このときコンパクトはヒンジの周りを回転するようにロックされているため、もはやカバーと基部を回転させる必要はなくなる。
【発明を実施するための最良の形態】
【００１１】
本発明は、製品が棚に配列されているか又は展示されており、且つ販売の妨げにならないように包装されている状態で、消費者がその製品の色合いを視認することができる化粧品ケースを提供する。本明細書で使用する時、「包装」とは、本発明の化粧品ケースが棚に配列される、展示される、保管される、又は出荷されるという統一された意味である。外側包装材には、ブリスター、カートン、熱成形クラムシェル、収縮スリーブ、プラスチックスリーブ及びバッグ、射出成型容器などのような、様々な材料を含めてもよい。
【００１２】
本明細書で使用する時、カバーと基部とが１つの包装単位として共に包装される際の、容器基部に対するカバーの位置を「第１の位置」と表している。本明細書で使用する時、「第２の位置」は、ヒンジの周りを回転するカバーによって化粧品ケースを開閉することができるように、カバー（ロックした）が基部と係合する位置を表している。第１の位置において、カバーは、カバーと基部の双方の組み合わせ投影面積が、カバー単独の全面積と基部単独の全面積との合計以下となるように配置される。換言すれば、包装単位内では、結合した基部とカバーとによって規定される全面積は、基部とカバーの単独の全面積を合計したもの以下である。そのようになるのは、図１、１０及び１３に示すように、包装単位におけるカバーと基部が、平面図において少なくとも部分的に重なり合うからである。カバーの面積と基部の面積は、当業者には明らかとなるように、それぞれの周辺の長さによって画定される。上述のように互いに加算された場合、これらの面積を本明細書では「累計面積」と呼ぶ。例えば、カバーの面積が「Ａ」であり、容器底部の面積が「Ｂ」である場合、累計面積はＡ＋Ｂである。本明細書で使用する時、「投影面積」は、カバーが第１の位置にある時の、包装単位におけるカバーの面積と基部の面積の結合面積を指す。累計面積とは異なり、投影面積は、基部に対するカバーの位置に応じて変化し得る。所与の大きさの化粧品ケースに対し、累計面積は一定であり、カバー及び基部の配置に関わらず変化しない。包装単位において、本発明の化粧品ケースは、累計面積の約９５％以下の組み合わせ投影面積を含む。具体的には、組み合わせ投影面積は、化粧品ケースの累計面積の約８５％以下、より具体的には約７５％以下、より具体的には約６５％以下、さらにより具体的には約５０％以下である。本発明の化粧品ケースの第２の位置は、図５に全体的に示すように閉位置に、又は図８に全体的に示すように開位置にあるのがわかる。閉じた時の第２の位置において、基部若しくはカバーのいずれかが、それぞれ基部若しくはカバーに対して平行に又は少なくともほぼ平行に回転される。
【００１３】
本明細書において説明する仕組みにより、本発明の化粧品ケースは、様々な手段によって係合することができ、それによって組み立てることができる。具体的には、本発明は、ヒンジのような係合手段を提供する。本発明の化粧品ケースは、ファンデーション、パウダー、頬紅、アイシャドウ、リップ製品などのような様々な製品を保持するために、様々な寸法を含むことができる。
【００１４】
本発明は、図１においては、一般に化粧品ケース１００を提供するものであり、この化粧品ケース１００において、カバーと容器基部は、基部において製品の色合いを視認することができるように包装される。本発明は、そのような化粧品ケースの３つのバリエーションを提供するが、様々な化粧品ケースの中でも多数の要素が共通していることが、当業者には理解される。具体的には、様々な化粧品ケースを本明細書において、図１〜８のスナップ組み立て式の１０１、図９〜１２の旋回組み立て式の１０２、図９、１１〜１５の回転組み立て式の１０３として表している。
【００１５】
全体として図１は、化粧品ケース１００を、より具体的にはスナップ組み立て式化粧品ケース１０１を表しており、このスナップ組み立て式化粧品ケース１０１は、棚に配列されているか又は展示されているが販売の妨げとならないように包装されている状態で、製品の色合いを顧客が視認することを可能にする。化粧品ケース１００は、容器基部１２４と対応するカバー１２８とを含む。容器基部１２４と対応するカバー１２８は、寸法に応じて変化することができ、約２０ミリメートル〜約２００ミリメートルの寸法を取ることができる外周を有する。
【００１６】
図２を全体的に参照すると、容器基部１２４は底部１３２と周壁１３６とを有する。底部１３２は約１ミリメートル〜約５ミリメートルの厚さを有することができる。容器基部の周囲壁１３６は、好ましくは、前面領域においては約１ミリメートル〜約５ミリメートルの厚さ、側部の中心では約５ミリメートル〜約１５ミリメートルの高さを有する。容器基部１２４は、化粧製品を収容するための内部区画を含む。内部区画の領域は全ての製品をその区画内に含むことができ、又、その内部区画は、２つ以上の内部区画を含むように分割されてもよい。例えば、２つの内部区画（それぞれ上側及び下側又は左側及び右側）が存在してもよい。上側の内部区画１４０は、フェイスパウダー、コンパクトフェイスパウダー、ファンデーションパウダー、アイシャドウ、頬紅などのような化粧製品を収容するためのものである。化粧製品は、化粧品を保持するためのパン１３８（図１）内に位置することができ、このパン１３８（図１）は化粧品ケースの上側の内部区画１４０内にある。上側の内部区画１４０は、容器基部の全面積の、約３０％以上から、具体的には約６０％以上且つ８０％以下、具体的には約６０％以下の面積を有することができる。下側の内部区画１４４は、塗布具（例えば、スポンジ、パフ、ブラシなど）を収容するための領域を含むことができる。下側の内部区画１４４は、容器基部の全面積の約２０％以上から、具体的には約４０％以上且つ約７０％以下、具体的には約４０％以下の面積を有することができる。下側の内部区画１４４は中実であってもよいが、塗布装置が適切に保管されるように、通気孔１４６を有する容器基部１２４の底部を通じて通気することもできる。掛け止め装置１８４が、容器基部１２４の前側端部壁１８０に配置されている。掛け止め装置１８４は、開口及びロック／固定機能を化粧品ケース１００にもたらすいくつかの構成要素を含んでもよい。そのような機能をもたらす掛け止め装置１８４の一構成要素に、押しボタン１８８がある。閉じると、押しボタン１８８は、使用中でない時にコンパクトを閉じた状態に保つために、カバー１２８のカバー鉤１９２（図４）と係合する。
【００１７】
再び図１を全体的に参照すると、容器基部の周壁１３６は、壁１３６の後方に基部切り欠き部１４８を有している。基部切り欠き部１４８は、本発明のヒンジ受け部１５０を保持するように寸法決めされている。基部周壁１３６、基部切欠き部１４８及びヒンジ受け部１５０はピン孔１６０を含んでおり、そのピン孔１６０に、ピン１６２が、ヒンジ受け部１５０を容器基部１２４に係合させる手段として挿入される（ピン孔１６０及びピン１６２は図９に概略的に示されている）。ヒンジ受け部１５０のピン孔１６０は、ヒンジ受け部１５０の側部に挿入されている。ヒンジ受け部１５０が特にスナップ組み立て式化粧品ケース１０１に設けられる場合、ヒンジ受け部１５１は、ヒンジ受け部１５１の少なくとも１つの壁内にロック用棚状部１５６を備える正方形の上部開口部１５３を有することができる。具体的には、ロック用棚状部１５６は、ヒンジ受け部１５１の前側及び／又は後ろ側の壁内に配置することができる。詳細に図９を参照すると、ヒンジ受け部１５０が、本発明の旋回組み立て式化粧品ケース１０２又は回転組み立て式化粧品ケース１０３に設けられる場合、ヒンジ受け部１５２の上部開口部１５４は円形であってもよく、ヒンジ受け部の少なくとも１つの壁内のロック用棚状部１５６と、ヒンジ受け部１５２の一領域内のロック用切り欠き部１５８とを備えてもよい（図１１及び１２にも示す）。ロック用棚状部１５６により、化粧品ケースのカバー１２８を組み立て後に容器基部１２８にロックすることが可能となり、一方で、ロック用切り欠き部１５８によって、カバー１２８が組み立て後に回転することが防止される。
【００１８】
図３及び４を全体的に参照すると、カバー１２８は上蓋１９８とカバーの周壁２０２とを有している。上蓋１９８は約１ミリメートル〜約５ミリメートルの厚さを有している。カバーの周囲壁２０２は約１ミリメートル〜５ミリメートルの厚さと高さを有している。図４を参照すると、カバー１２８は、鏡２０７（図８）又は反射装置及び／若しくは採光窓（light）を収容するための容積を設ける上側の内部領域２０４を有することができ、この上側の内部領域２０４を本明細書において「鏡用くぼみ（mirro well）」２０４と呼ぶ。カバー１２８は又、容器基部１２４内に保持された内容物の上方で密着する圧縮可能なシール２０６（図８）を収容するための容積を設ける下側の内部領域を有することができ、この下側の内部領域を本明細書において「シール用くぼみ（seal well）」２０８と呼ぶ。
【００１９】
図６及び７を全体的に参照すると、カバー１２８は、成形された又はヒンジ式の突出部１７０をカバーの上蓋１９８の下に含んでおり、その突出部１７０は、スナップ組み立て式のヒンジ受け部１５１の上部開口部１５３又は旋回組み立て式／回転組み立て式のヒンジ受け部１５２（図９）の上部開口部１５４内に、ロック用棚状部１５６と係合するように形作られ、且つ寸法決めされたロック用出っ張り部１７３を含んでいる。突出部１７０は、カバーの上蓋１９８の約１０ミリメートル以下且つ約３ミリメートル以上、下方に配置されており、又、突出部１７０は、ヒンジ受け部１５０と相互作用して、その結果、カバー１２８が容器基部１２４に取り付けられると突出部１７０がロックして、カバー１２８と容器基部１２４が取り外されるのを防止するように設計されている。スナップ組み立て式化粧品ケース１０１の場合、突出部１７１及びヒンジ受け部１５１は、正しい組み立てを確実にするため、カバー１２８が逆方向に組み立てられることのないように設計されている。ヒンジ受け部１５０は、化粧品ケース１００が開閉するための手段となる。カバー１２８は、ヒンジ受け部１５０の周りを回転するようになる。本明細書で使用する時、「ヒンジ受け部の周りを回転する」とは、カバー１２８がヒンジ１５０の周りを回転して開け閉めすることができるように、突出部がヒンジ受け部１５０内でロックされ且つ保持されているという事実を指す。化粧品ケース１００の第２の位置に達した後、化粧品ケース１００は、従来の化粧品ケースと同様に開閉することによって動作するようになる。好ましくは、本発明の化粧品ケース１００は、ｙ軸に沿って開閉する。化粧品ケース１００は又、ｘ軸及びｙ軸に沿って開閉してもよい。
【００２０】
図８を参照する。化粧品ケース１００は、押しボタン１８８を内側に押すことによって開くことができる。押しボタン１８８の押圧表面を内側に押すと、ボタン１８８がカバー１２８の鉤１９２から解放され、コンパクトカバー１２８の鉤留めを解放することが可能となる。化粧品ケース１００を閉じる時、カバー１２８と容器基部１２４は、カバー１２８の鉤１９２が押しボタン１８８と係合するまでヒンジ１５０の周りを回転するようにして、接合させる。化粧品ケース１００がその閉位置（図５）にある状態では、化粧品ケース１００は、上述のように押しボタン１８８を内側に押すことによって直ちに開く。化粧品ケース１００がその閉位置（図５）にある状態では、圧縮可能なシール２０６によって、容器基部１２４内の製品は揮発性の構成成分を含有することが可能となる。突出部１７０（図４）の長さ及びヒンジ受け部１５０の長さを調節して、シール２０６に対する圧縮量を決定することができる。
【００２１】
化粧品ケース１００は、合成樹脂などの弾性材料で作られてもよい。本発明に有用な合成樹脂の例には、アクリロニトリルスチレン樹脂（ＳＡＮ）又はアクリロニトリルブタジエンスチレン（ＡＢＳ）がある。ヒンジ受け部１５０は、化粧品ケースよりも強固な材料で成形することができる。これまでは、コンパクト、特に円形のコンパクトは、比較的脆弱なヒンジ装置を有していた。
【００２２】
ピンヒンジとあいまった湾曲形状を有していたコンパクトは通常、ヒンジ内に破断点を生じさせる応力集中の影響を受けやすいものであった。ヒンジ受け部１５０は化粧品ケースとは別個の部分であるため、異なる材料で形成することができ、これによって、使用される材料をケースと受け部とで異なるものとすることが可能となることから、全体的な機能性に有利となる。異なる材料を有することによって、ヒンジ受け部１５０はより強固な材料で作ることが可能となり、それによって、ヒンジ装置全体が強化され、化粧品ケース１００の応力効果が軽減される。ヒンジ受け部１５０の材料は強固であり、且つ破砕したり変形したりすることはない。化粧品ケース１００の強度を向上させるために使用する材料は、アクリロニトリルブタジエンスチレン（ＡＢＳ）、ポリカーボネート、及びナイロンから成る群から選択される。これらの材料は滑らかで耐久性のある表面をもたらし、この表面は化粧品ケースに高級な質感を与える。強度をもたらすことに加えて、ヒンジ受け部１５０の材料が破壊することなく十分な可撓性を実現することも又望ましい。本発明において有用な可撓性材料は、動作範囲内で動作しなければならず、応力降伏点を超えてはならない。ヒンジ受け部１５０に可撓性をもたらすのに有用な材料は、ポリプロピレン、ポリエチレン、熱可塑性エラストマー（ＴＰＥ）及びこれらの混合物から成る群から選択された材料で作ることができる。ヒンジ受け部１５０を使用することにより、化粧品ケース１００の物理的特性を大いに変化させることができる。これまでは、押しボタンが係合した時にカバーが急激に開くようにヒンジ内に圧力を生じさせるコンパクトが、低コストな材料で作られてきた。しかしながら、これらの材料はクリープを生じ、又、復元特性が低いことから形状を損なう。本明細書で使用する「クリープ」とは、プラスチックがその元の形状を失う作用を指す。本明細書で使用する時、「復元」とは、プラスチックがその元の製造時の形状の戻る能力に関する。したがって、本発明の化粧品ケース１００には、高度な復元特性を有し且つクリープを生じたり形状を失ったりすることのない材料を用いることが望ましい。そのような高度な復元性の材料の例には、ＴＰＥ、ウレタン系熱可塑性エラストマー（ＴＰＵ）、ポリブチル、ポリエチレン及びこれらの混合物があるが、これらに限定はされない。
【００２３】
ヒンジ受け部１５０は又、カバー１２８をヒンジ受け部１５０内で自在に動かすことができ、且つパン１３８の上方で均一に動かすことができ、コンパクトのまわりを均等に封止することができる、自動浮動動作を含むことができる。又、その浮動動作によって、カバー１２８は、ヒンジ１５０の範囲内で上昇することができ、それによって、カバー１２８を閉じた時のシール２０６の周りの圧力が低下する。又、カバー１２８が達成する浮動量を決めるために、シール２０６に及ぼされる圧力は、突出部１７０の長さを調節することによって変化させることができる。突出部１７０は、ロック用棚状部１５６を通り越した所で取り付けるのに必要な距離よりもわずかに長くなるように設計されている。ヒンジ受け部１５０及び突出部１７０のこの設計により、カバー１２８と容器基部１２４との間の圧縮量及び／又は間隙が制御され、それによって、均一な圧力と良好な封止を確実にする、カバー１２８とベース１２４との均一な接触の提供を助ける。
【００２４】
本発明の特定の実施形態について示し説明したが、本発明の教示内容から逸脱することなく、化粧品ケース１００に対して修正を行うことができる。本明細書において本発明及びその構成の説明に使用した表現は、限定の表現としてではなく説明の意味で使用されたものであり、その全ての均等物が添付の特許請求の範囲の趣旨に含まれることが意図されている。前述した販売上の利点を得るために行うあらゆる構成は、この説明の趣旨に含まれている。
【００２５】
スナップ組み立て式化粧品ケース
図１を参照すると、本発明のスナップ組み立て式化粧品ケース１０１は、容器基部１２４から外された第１の位置に配置されたカバーを備えている。容器基部１２４内の内容物は、完全に露出していなくても、少なくとも部分的に露出している。例えば、化粧品ケース１０１を包装する時、その化粧品ケース１０１は抱き抱えの配置で包装することができる。その抱き抱えの配置において、容器基部１０１はカバー１２８の上蓋の上に置かれ、その結果、容器基部１２４の上側の内部ほ領域１４０内のパン１３８内に保持された製品の内容物を確認することができる。具体的には、その抱き抱えの配置では、容器基部１２４を上向きにして包装しカバー１２８の上に積み重ねて、容器基部１２４の底部の表面がカバー１２８の内面と接触するようにすることができる。
【００２６】
図６及び７を参照すると、消費者がこの製品を購入する時、カバー１２８を容器基部１２４の上で裏返し、突出部１７１をヒンジ受け部１５１にスナップ式で結合することによって、カバー１２８は容器基部１２４と係合される。カバー１２８と容器基部１２４は、この時にロックされた突出部１７１によって係合される。ヒンジ受け部１５１内のロック用棚状部１５６及び突出部１７１のロック用出っ張り部１７３により、消費者は、カバー１２８が逆向きにスナップ式で結合されないように、ケースを正しく組み立てることができる。ロック用棚状部１５６及びロック用出っ張り部１７３は又、カバーが容器基部１２４から取り外されるのを防止する。化粧品ケース１０１は依然として、先に概説したように作動し、図８のように開く。
【００２７】
旋回組み立て式化粧品ケース
図９を参照すると、本発明の旋回組み立て式ケース１０２は、カバー１２８と容器基部１２４を備えており、カバーと容器基部は、カバー１２８と容器基部１２４がヒンジ１５２によって係合するように包装される。ヒンジ受け部１５２内のロック用棚状部１５６及び突出部１７２のロック用出っ張り部１７３は、カバー１２８が容器基部１２４から取り外されるのを防止する（図１１及び１２も参照）。図１０を参照すると、カバー１２８は、包装されている製品の色合いを示すために、容器基部１２４に対してある角度で回転されている。再び図９を参照すると、カバー１２８又は容器基部１２４は、係合した突出部１７２によってヒンジ受け部１５２内で回転することができ、容器ベース１２４の内容物が露出するようにある角度を成している。本明細書で使用する時、「ヒンジ受け部内で回転する」ことは、「ヒンジ受け部の周りで回転する」ことと区別される。ヒンジ受け部１５２内で回転するとは、突出部１７２がヒンジ受け部１５２の上部開口部１５４に挿入されているがまだロックはされておらず、したがって、カバー１２８がヒンジ受け部１５２内で３６０°回転できるという意味である。回転は、ロック用突起部１５７とヒンジ受け部１５２のロック用切り欠き部１５８とが係合することによって、最終的には防止される。回転が防止されると、カバー１２８は、ヒンジ受け部１５２の周りでのみ回転して、先に概説したように従来通りに化粧品ケース１０２を開閉する。包装されている間、カバー１２８は、容器基部１２４の軸線から約１８０°以下、具体的には約１２０°以下、より具体的には９０°以下、さらにより具体的には約７５°以下、さらにより具体的には約６０°以下、且つ約４０°以上、より具体的には約２０°以上、さらにより具体的には１０°以上、ヒンジ受け部１５２内で回転することができる。組み立ての間、消費者はある角度を成す位置からカバー１２８を旋回させて容器基部１２４の上にぴったりに配置し、ここでカバー１２８は同じ軸線に沿って整列して第２の位置を形成する。ロック用突起部１５７とロック用切り欠き部１５８は、カバー１２８が依然として旋回するのを防ぐために、カバー１２８を所定位置にロックする。ロック用棚状部１５６とロック用出っ張り部１７３は、カバー１２８が容器基部１２４から取り外されるのを防止する。
【００２８】
回転組み立て式化粧品ケース
図１３を参照すると、回転組み立て式ケース１０３も又、包装の間に係合されるカバー１２８と容器基部１２４とを備えている。しかしながら、容器基部１２４は、抱えられることができ、そこで容器基部１２４はカバー１２８内に位置する。ロック用棚状部１５６とロック用出っ張り部１７３は、カバー１２８が容器基部１２４から取り外されるのを防止する（図１１及び１２）。回転組み立て式ケースを組み立てるために、消費者は、図１４に示すように、容器基部１２４の下方からカバー１２８を回転させる。カバー１２８は３６０°回転することができるが、回転は、ロック用突起部１５７とロック用切り欠き部１５８とが係合することを利用して食い止められる（図１１及び１２）。具体的には、カバー１２８はヒンジ受け部１５２内で１８０°回転することができる。図１５を参照すると、容器基部１０３は、先に概説したように、従来通りに動作して開閉するように配置されている。
【００２９】
本発明の化粧品ケースの好ましい手法において、化粧品ケースの要素は前述の寸法を有する。しかしながら、それらの寸法は密接に関連しており、１つの要素の寸法が大幅に変更された場合、対応する寸法の変更を他の要素においても行わなければならないことがあることは理解されよう。
【００３０】
「発明を実施するための最良の形態」において引用されるすべての文献は、その関連部分において本明細書に参考として組み込まれるが、いずれの文献の引用も、それが本発明に対する先行技術であることを認めるものと解釈されるべきではない。
【００３１】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【００３２】
本明細書は、本発明を特定して指摘し明白に請求する特許請求にて結論とするが、以下の好ましい実施形態の説明を添付図面と関連して読むことにより、本発明をさらによく理解できると考えられる。
【図面の簡単な説明】
【００３３】
【図１】本発明の化粧品ケースの前側の斜視図。
【図２】本発明の化粧品ケースの容器基部の内部の斜視図。
【図３】本発明の化粧品ケースのカバーの外側の斜視図。
【図４】本発明の化粧品ケースのカバーの内側の斜視図。
【図５】抱き抱えの位置で包装された本発明のスナップ組み立て式化粧品ケースの斜視図。
【図６】カバーが開位置にある、本発明のスナップ組み立て式化粧品ケースの容器基部と係合したカバーの側断面図。
【図７】カバーが開位置にある、本発明のスナップ組み立て式化粧品ケースの容器基部と係合したカバーの拡大側断面図。
【図８】組み立て後の開位置にあるスナップ組み立て式化粧品ケースの斜視図。
【図９】本発明の旋回組み立て式及び回転組み立て式化粧品ケースのカバー、ヒンジ受け部及び容器基部の分解図。
【図１０】本発明の旋回組み立て式化粧品ケースの平面図。
【図１１】本発明の回転組み立て式及び旋回組み立て式化粧品ケースの突出部及びヒンジ受け部の拡大図。
【図１２】本発明の化粧品ケースの突出部、ロック用突起部及びロック用切り欠き部の拡大図。
【図１３】包装されている間に見出されるような第１の位置における本発明の回転組み立て式化粧品ケースの斜視図。
【図１４】回転中の本発明の回転組み立て式化粧品ケースの斜視図。
【図１５】回転式突出部が、化粧品ケースを開閉できるようにロックされている、本発明の回転組み立て式化粧品ケースの斜視図。
【図１】
2008519666.tif 000003
【図２】
2008519666.tif 000004
【図３】
2008519666.tif 000005
【図４】
2008519666.tif 000006
【図５】
2008519666.tif 000007
【図６】
2008519666.tif 000008
【図７】
2008519666.tif 000009
【図８】
2008519666.tif 000010
【図９】
2008519666.tif 000011
【図１０】
2008519666.tif 000012
【図１１】
2008519666.tif 000013
【図１２】
2008519666.tif 000014
【図１３】
2008519666.tif 000015
【図１４】
2008519666.tif 000016
【図１５】
2008519666.tif 000017
【国際調査報告】
2008519666.tif 000018
2008519666.tif 000019
2008519666.tif 000020
2008519666.tif 000021
2008519666.tif 000022